(57)【要約】【課題】画像データの画質の補正処理を短時間且つ適正に実施する画像読取装置を提供する。【解決手段】原稿領域が定められ、原稿を原稿領域に露出させる複数の原稿ホルダと、各原稿ホルダの原稿領域外に原稿領域に対し位置決めして設けられるマークと、ユーザ選択された原稿ホルダである選択ホルダを交換可能に支持する支持手段と、選択ホルダにおいてマーク及び原稿領域を囲む領域を走査し、その走査領域を表す画像データを生成する走査手段と、選択ホルダについて生成された画像データにおいて、走査領域に対応する画素領域より小サイズの画素領域であって選択ホルダの原稿領域を含む領域に対応する画素領域をマークに対応する画素を基準に特定する特定手段と、選択ホルダについて生成された画像データにおいて、特定手段が特定した画素領域と同一位置及びサイズの処理領域に画質の補正処理を施す補正処理手段とを備える。【選択図】    図１
2005039433.tif 000002
【特許請求の範囲】
【請求項１】
原稿領域が定められ、保持した原稿を前記原稿領域に露出する複数の原稿ホルダと、
各前記原稿ホルダの前記原稿領域外に前記原稿領域に対し位置決めして設けられるマークと、
ユーザにより選択された前記原稿ホルダである選択ホルダを交換可能に支持する支持手段と、
前記選択ホルダにおいて前記マーク及び前記原稿領域を囲む領域を走査し、走査した領域を表す画像データを生成する走査手段と、
前記走査手段が前記選択ホルダについて生成した画像データにおいて、前記走査手段の走査領域に対応する画素領域より小サイズの画素領域であって前記選択ホルダにおいて前記原稿領域を含む領域に対応する画素領域を、前記マークに対応する画素を基準として特定する特定手段と、
前記走査手段が前記選択ホルダについて生成した画像データにおいて、前記特定手段が特定した画素領域と同一位置且つ同一サイズの処理領域に対し画質の補正処理を施す補正処理手段と、
を備えることを特徴とする画像読取装置。
【請求項２】
前記走査手段が前記原稿ホルダ別に生成した複数の画像データをそれぞれホルダ別データと規定するとき、各前記ホルダ別データ間で、前記マークに対応する画素を基準とする位置及びサイズが一定となる前記処理領域に対し、前記補正処理手段は画質の補正処理を施すことを特徴とする請求項１に記載の画像読取装置。
【請求項３】
各前記原稿ホルダは少なくとも一つの前記原稿領域を有し、
前記ホルダ別データにおいて個々の前記原稿領域に対応する少なくとも一つの領域をそれぞれ原稿対応領域と規定するとき、各前記ホルダ別データの前記原稿対応領域が全て囲まれる矩形の前記処理領域に対し、前記補正手段は画質の補正処理を施すことを特徴とする請求項２に記載の画像読取装置。
【請求項４】
前記マークは、前記原稿ホルダに設けられた孔で構成されることを特徴とする請求項１〜３のいずれか一項に記載の画像読取装置。
【請求項５】
前記走査手段は、前記選択ホルダを主走査線に沿って走査するリニアイメージセンサと、前記主走査線に垂直な副走査方向に前記選択ホルダを搬送する搬送手段とを有することを特徴とする請求項１〜４のいずれか一項に記載の画像読取装置。
【発明の詳細な説明】
【０００１】
【発明の属する技術分野】
本発明は、画像読取装置に関する。
【０００２】
【従来の技術】
従来、原稿を保持する原稿ホルダを原稿種類に応じて交換するようにした画像読取装置が公知である。この画像読取装置では、ユーザにより選択された原稿ホルダにおいて原稿を露出させる原稿領域を囲む領域をイメージセンサで走査し、走査した領域を表す画像データを生成する。このとき原稿領域を確実に走査するため、イメージセンサの走査領域は読取不要な領域を含むように大きく設定される。そこで画像データにおいて、原稿領域に少なくとも対応する画素領域を処理領域として特定し、特定した処理領域に対してのみガンマ補正等の画質の補正処理を施す。これにより、画質の補正処理に掛かる時間を短縮できる。
【０００３】
【発明が解決しようとする課題】
上記画像読取装置では、画像データにおいて画質の補正処理を施す処理領域の位置及びサイズを原稿ホルダの種類に依ることなく一定にすることで、補正処理の時間短縮を促進できる。しかし、イメージセンサの走査領域に対し原稿ホルダの相対位置は原稿ホルダの交換時に変動し易いため、画像データにおいて原稿領域に実際に対応する画素領域が一定位置及び一定サイズの処理領域から外れる場合がある。この場合、画像データにおいて原稿領域に実際に対応する画素領域の一部に対し画質の補正処理が施されなくなる。
本発明は、上記問題に鑑みて創作されたものであって、その目的は、画像データの画質の補正処理を短時間且つ適正に実施する画像読取装置を提供することにある。
【０００４】
【課題を解決するための手段】
上記目的を達成するため本発明に係る画像読取装置は、原稿領域が定められ、保持した原稿を前記原稿領域に露出する複数の原稿ホルダと、各前記原稿ホルダの前記原稿領域外に前記原稿領域に対し位置決めして設けられるマークと、ユーザにより選択された前記原稿ホルダである選択ホルダを交換可能に支持する支持手段と、前記選択ホルダにおいて前記マーク及び前記原稿領域を囲む領域を走査し、走査した領域を表す画像データを生成する走査手段と、前記走査手段が前記選択ホルダについて生成した画像データにおいて、前記走査手段の走査領域に対応する画素領域より小サイズの画素領域であって前記選択ホルダにおいて前記原稿領域を含む領域に対応する画素領域を、前記マークに対応する画素を基準として特定する特定手段と、前記走査手段が前記選択ホルダについて生成した画像データにおいて、前記特定手段が特定した画素領域と同一位置且つ同一サイズの処理領域に対し画質の補正処理を施す補正処理手段とを備えることを特徴とする。画像データにおいて、走査手段の走査領域に対応する画素領域より小サイズの画素領域と同一位置及び同一サイズの処理領域に対し画質の補正処理を施すので、その処理時間が短縮される。ここで走査領域に対応する画素領域より小サイズの画素領域は選択ホルダにおいて原稿領域を含む領域に対応する画素領域であり、当該画素領域の特定については原稿領域に対し位置決めされたマークの対応画素を基準に実施する。そのため、走査手段の走査領域に対し原稿ホルダの相対位置が変動しても、特定した画素領域から原稿領域に実際に対応する画素領域が外れることを防止できる。したがって、特定した画素領域と同一の位置及びサイズの処理領域に画質の補正処理を施すことで、原稿領域に実際に対応する画素領域の全体が確実に補正処理される。即ち、画像データの所望の領域に対し画質の補正処理が適正に実施される。
尚、特定手段が対象とする画像データと補正処理手段が対象とする画像データとは、同じ選択ホルダについてのデータであれば、同一走査により生成されたデータであってもよいし、相異なる走査により生成されたデータであってもよい。
【０００５】
さらに本発明に係る画像読取装置によると、前記走査手段が前記原稿ホルダ別に生成した複数の画像データをそれぞれホルダ別データと規定するとき、各前記ホルダ別データ間で、前記マークに対応する画素を基準とする位置及びサイズが一定となる前記処理領域に対し、前記補正処理手段は画質の補正処理を施すことを特徴とする。原稿ホルダ別に生成した各ホルダ別データ間でマーク対応画素を基準とする位置及びサイズが一定となる処理領域に画質の補正処理を施すので、補正処理を簡略にして当該処理の時間短縮を促進できる。
【０００６】
さらに本発明に係る画像読取装置において、各前記原稿ホルダは少なくとも一つの前記原稿領域を有し、前記ホルダ別データにおいて個々の前記原稿領域に対応する少なくとも一つの領域をそれぞれ原稿対応領域と規定するとき、各前記ホルダ別データの前記原稿対応領域が全て囲まれる矩形の前記処理領域に対し、前記補正手段は画質の補正処理を施すことを特徴とする。各ホルダ別データの原稿対応領域が全て囲まれる矩形の処理領域に画質の補正処理を施すことで、補正処理の時間短縮と適正化とをバランスよく達成できる。
【０００７】
さらに本発明に係る画像読取装置において、前記マークは、前記原稿ホルダに設けられた孔で構成されることを特徴とする。原稿ホルダに設けられた孔でマークを構成するので、原稿領域に対するマークの位置ずれがない。
さらに本発明に係る画像読取装置において、前記走査手段は、前記選択ホルダを主走査線に沿って走査するリニアイメージセンサと、前記主走査線に垂直な副走査方向に前記選択ホルダを搬送する搬送手段とを有することを特徴とする。選択ホルダを主走査線に沿って走査するリニアイメージセンサと、主走査線に垂直な副走査方向に選択ホルダを搬送する搬送手段とを用いることで、選択ホルダの所望の領域を容易に隈無く走査できる。
【０００８】
【発明の実施の形態】
以下、本発明の実施の形態を実施例に基づいて説明する。
図２，３は、本発明の一実施例に係る画像読取装置としてのイメージスキャナ１を示す模式図である。
原稿ホルダ２０は原稿Ｍの種類に応じて複数用意されており、イメージスキャナ１の本体に設けられた開口部を通じて交換可能である。以下では、紙等の反射原稿Ｍを保持する図２の反射原稿ホルダ２０ａと、フィルム等の透過原稿Ｍを保持する図３の透過原稿ホルダ２０ｂの二種類の中からユーザが選択使用するものとして説明する。
【０００９】
リニアイメージセンサ１２は、選択ホルダとしての原稿ホルダ２０においてマーク２１及び後述の原稿領域Ｒｈを囲む領域Ｒｓを、図２，３の紙面に垂直な主走査線に沿って走査する。リニアイメージセンサ１２は、主走査線に平行な主走査方向に並ぶ複数の画素を備えている。ここで画素は、フォトダイオード等で構成される。リニアイメージセンサ１２は、可視光、赤外光、紫外光等の所定波長領域の光を光電変換して得られる電荷を一定時間蓄積し、各画素について受光量に相関した出力信号をＣＣＤ（Ｃｈａｒｇｅ  Ｃｏｕｐｌｅｄ  Ｄｅｖｉｃｅ）、ＭＯＳトランジスタスイッチ等を用いて出力する。
【００１０】
副走査駆動部１６は、選択ホルダとしての原稿ホルダ２０を主走査線に垂直な副走査方向Ｘに相対移動させる。副走査駆動部１６は、原稿ホルダ２０を搬送する搬送ローラ１６ｂ及び１６ｄ、搬送ローラとの間に挟持した原稿ホルダ２０を搬送する従動ローラ１６ａ及び１６ｃ、各ローラを回転させるモータ及び歯車列、駆動回路等を備えている。副走査駆動部１６が各ローラを回転させることで原稿ホルダ２０が副走査方向Ｘに移動するため、２次元画像の走査が可能となる。尚、本実施例では、原稿ホルダ２０を搬送することで主走査線を移動させるが、リニアイメージセンサ１２をキャリッジに搭載して運搬することで主走査線を移動させてもよい。
【００１１】
光学系は走査領域Ｒｓの光像をリニアイメージセンサ１２に入力する。光学系は反射原稿用光源１１ａ、透過原稿用光源１１ｂ、ミラー１１ｃ、レンズ１１ｄを備えている。反射原稿用光源１１ａ及び透過原稿用光源１１ｂはキセノンランプ等の管照明装置から構成され、長手方向軸が主走査線と平行に延びる姿勢で配置されている。図２に示すように反射原稿用光源１１ａは、反射原稿ホルダ２０ａに対しリニアイメージセンサ１２と同じ側となるように配置されている。反射原稿用光源１１ａが反射原稿ホルダ２０ａを照射するとき、ミラー１１ｃ及びレンズ１１ｄは走査領域Ｒｓの反射光像をリニアイメージセンサ１２に到達させる。一方、図３に示すように透過原稿用光源１１ｂは、透過原稿ホルダ２０ｂを挟んでリニアイメージセンサ１２の逆側となるように配置されている。透過原稿用光源１１ｂが透過原稿ホルダ２０ｂを照射するとき、ミラー１１ｃ及びレンズ１１ｄは走査領域Ｒｓの透過光像をリニアイメージセンサ１２に到達させる。
【００１２】
図４は、イメージスキャナ１を示すブロック図である。
主走査駆動部１５は、リニアイメージセンサ１２を駆動するために必要な駆動パルスをリニアイメージセンサ１２に出力する駆動回路である。主走査駆動部１５は、例えば同期信号発生器、駆動用タイミングジェネレータ等で構成される。
アナログフロントエンド（ＡＦＥ）部１３はアナログ信号処理部、Ａ／Ｄ変換器等で構成される。アナログ信号処理部は、リニアイメージセンサ１２から出力された出力信号に増幅、雑音低減処理等を施して出力する。Ａ／Ｄ変換器は、アナログ信号処理部から出力された出力信号を量子化して所定ビット長のディジタル表現の画素値を画素毎に出力する。この出力された各画素の画素値の集合が画像データとなる。
以上、リニアイメージセンサ１２、副走査駆動部１６、主走査駆動部１５及びＡＦＥ部１３が共同して走査手段を構成している。
【００１３】
ディジタル画像処理部１４は、ＡＦＥ部１３から出力された画像データの所定の画素領域ｒｄに対し画質の補正処理を施すことで、出力するディジタル画像を生成する。画質の補正処理としては、画像データの画質を向上するための処理、例えばガンマ補正、鮮鋭化処理、モアレの除去処理、シェーディング補正、画素補間法による欠陥画素の補間、ホワイトバランスの補正等を実施する。
【００１４】
制御部１７はＣＰＵ１７ａ、ＲＯＭ１７ｂ及びＲＡＭ１７ｃを備えている。ＣＰＵ１７ａは、ＲＯＭ１７ｂに記憶されたコンピュータプログラムを実行してイメージスキャナ１の各部を制御する。特にＣＰＵ１７ａはディジタル画像処理部１４を制御することで、画像データにおいて画質の補正処理の対象となる領域ｒｄを設定し、その処理領域ｒｄの補正処理をディジタル画像処理部１４に行わせる。ＲＯＭ１７ｂは各種のプログラム及びデータを記憶している。ＲＯＭ１７ｂが記憶するプログラムやデータは所定のサーバからネットワークを介してダウンロードして入力してもよいし、図示しないリムーバブルメモリ等のコンピュータ読取可能な記憶媒体から読み出して入力してもよい。ＲＡＭ１７ｃはプログラムやデータを一時的に記憶する。
【００１５】
図５は、反射原稿ホルダ２０ａを示す模式図である。
反射原稿ホルダ２０ａの本体２２は矩形板状に形成され、全体的に黒色を呈している。本体２２はガイド２３、白基準部２４及び保持部２５を有している。
ガイド２３は直線溝状に形成されている。イメージスキャナ１の本体に設けられた支持手段としてのレール２にガイド２３が係合することで、レール２は反射原稿ホルダ２０ａを交換可能に支持する。レール２に係合したガイド２３の長手方向は副走査方向Ｘに一致するため、透過原稿ホルダ２０ｂはレール２によって副走査方向Ｘに確実に案内される。白基準部２４は、シェーディング補正に用いる白基準データを設定するために設けられている。白基準部２４は開口が長方形の有底孔で構成され、その開口の長辺はガイド２３の長手方向軸に垂直に延びている。白基準部２４の底壁面２４ａは白色を呈し、レール２にガイド２３が係合するとき反射原稿用光源１１ａ側を向いて当該光源１１ａの放射光をミラー１１ｃ側に反射する。
【００１６】
保持部２５は開口が長方形の有底孔で構成され、保持部２５の開口の長辺はガイド２３の長手方向軸に平行に延びている。保持部２５に収容される矩形薄板状のマット部材２６は、一方の面２６ａが保持部２５の底壁面２５ａに接するようにして他方の面２６ｂを保持部２５の開口側に向けている。マット部材２６の面２６ｂは平坦面であり、白色を呈している。保持部２５においてマット部材２６の面２６ｂから所定距離をあけた箇所には透明部材２７が着脱可能であり、透明部材２７とマット部材２６との間に反射原稿Ｍが収容される。保持部２５において開口の一長辺及び一短辺をそれぞれ成す側壁面２５ｂ，２５ｃに反射原稿Ｍの二辺が当接することで、反射原稿Ｍが保持部２５に保持される。保持部２５の各側壁面２５ｂ，２５ｃ，２５ｄ，２５ｅにおいて部材２６，２７間の空隙に臨む部分で囲まれた領域Ｒｈは、反射原稿Ｍをリニアイメージセンサ１２で走査可能に露出する領域である。即ち反射原稿ホルダ２０ａでは、各側壁面２５ｂ，２５ｃ，２５ｄ，２５ｅの上記部分が囲む領域Ｒｈを原稿領域として定めている。
【００１７】
本体２２にはマーク２１が設けられている。具体的にはマーク２１は、原稿領域Ｒｈの外部となる本体２２の一角部２２ａに原稿領域Ｒｈに対し位置決めして設けられている。マーク２１は開口が円形の有底孔で構成され、本体２２においてマーク２１と保持部２５とは同一側に開口している。マーク２１の底壁面２１ａは白色を呈しており、マーク２１の内外で濃淡差が生じている。レール２にガイド２３が係合するとき底壁面２１ａは反射原稿用光源１１ａ側を向き、当該光源１１ａの放射光をミラー１１ｃ側に反射する。尚、マーク２１の開口径及び深さ等の寸法設定については、マーク２１及びその周辺領域が反射原稿用光源１１ａで照射されたときマーク２１の内外の濃淡を走査手段で読取可能となるように実施する。また、開口が円形以外の形状の有底孔でマーク２１を構成してもよいし、本体２２乃至は本体２２に装着した基材に描かれる濃淡模様でマーク２１を構成してもよい。
反射原稿ホルダ２０ａにおいてリニアイメージセンサ１２で走査される領域Ｒｓは、本体２２の外周縁より一まわり小さいサイズでマーク２１及び原稿領域Ｒｈを囲む矩形領域である。
【００１８】
図６は、透過原稿ホルダ２０ｂを示す模式図である。
透過原稿ホルダ２０ｂの本体２８は反射原稿ホルダ２０ａの本体２２と同一サイズの矩形板状に形成され、全体的に黒色を呈している。本体２８はガイド２９、白基準部３０及び二つの保持部３１を有している。ガイド２９は反射原稿ホルダ２０ａのガイド２３と同一の構成を有し、ガイド２３と同一の機能を果たす。白基準部３０及び保持部３１は反射原稿ホルダ２０ａの白基準部２４及び保持部２５と同様な機能を果たすが、白基準部２４及び保持部２５とは構成が異なっている。
【００１９】
具体的には、白基準部３０は開口が長方形の貫通孔で構成されており、透過原稿用光源１１ｂの放射光を通過させる。保持部３１は、開口が長方形の貫通孔３２及びその開口を囲む本体部分３３で構成されており、貫通孔３２は透過原稿用光源１１ｂの放射光を通過させる。各保持部３１の開口の短辺長さは保持部２５の開口の短辺長さの１／２未満に設定されており、各保持部３１はガイド２９の長手方向軸に垂直な方向において並んでいる。各保持部３１において貫通孔３２の開口を囲む本体部分３３に透過原稿Ｍの外周縁部が図示しない係止部材により係止されて保持される。各保持部３１において貫通孔３２の四つの側壁面３２ａ，３２ｂ，３２ｃ，３２ｄで囲まれた領域Ｒｈは、透過原稿Ｍをリニアイメージセンサ１２で走査可能に露出する領域である。即ち透過原稿ホルダ２０ｂでは、各側壁面３２ａ，３２ｂ，３２ｃ，３２ｄが囲む領域Ｒｈを原稿領域として定めている。
【００２０】
本体２８において反射原稿ホルダ２０ａの本体角部２２ａに対応する角部２８ｂにマーク２１が設けられている。即ち、同一サイズの透過原稿ホルダ２０ｂと反射原稿ホルダ２０ａとではほぼ同じ位置にマーク２１が設けられている。本体２８において二つの原稿領域Ｒｈの外部に角部２８ｂは位置している。この角部２８ｂに設けられて二つの原稿領域Ｒｈに対し位置決めされたマーク２１は、開口が円形の貫通孔で構成されており、透過原稿用光源１１ｂの放射光を通過させる。
透過原稿ホルダ２０ｂにおいてリニアイメージセンサ１２で走査される領域Ｒｓは、反射原稿ホルダ２０ａの場合と位置及びサイズがほぼ一致し、本体２８の外周縁より一まわり小さくマーク２１及び二つの原稿領域Ｒｈを囲む矩形領域となる。
【００２１】
以下、制御部１７及びディジタル画像処理部１４が共同して画像データの処理領域ｒｄを設定する方法について説明する。
図１は、原稿ホルダ２０の走査領域Ｒｓを走査してＡＦＥ部１３の出力画素値より生成した画像データを示す模式図である。図７は、走査領域Ｒｓのうちマーク２１の周辺領域をマーク２１がのる主走査線に沿って走査したときＡＦＥ部１３より出力される画像データの各画素の画素値を示すグラフである。尚、図１，７の各分図（Ａ）は反射原稿ホルダ２０ａを使用した場合を示し、図１，７の各分図（Ｂ）は透過原稿ホルダ２０ｂを使用した場合を示している。また、図１（Ａ），（Ｂ）において右下がりのハッチングを付した部分の画素は各ホルダ２０ａ，２０ｂの黒色部分に対応し、右上がりのハッチングを付した部分の画素は各ホルダ２０ａ，２０ｂが保持する原稿部分にほぼ対応している。
【００２２】
（１）反射原稿ホルダ２０ａの使用時には、マーク２１を成す有底孔の白色の底壁面２１ａと黒色の本体２２とで反射した反射原稿用光源１１ａの放射光がリニアイメージセンサ１２に到達する。透過原稿ホルダ２０ｂの使用時には、マーク２１を成す貫通孔を通過した透過原稿用光源１１ｂの放射光がリニアイメージセンサ１２に到達する。したがって、図７（Ａ），（Ｂ）の各グラフでは、マーク２１に対応する画素領域ｒｍで画素値が高くなる。そこで、画素領域ｒｍの中心にある画素（中心画素）ｐｍを例えば２値化処理等を利用して特定する。
【００２３】
（２）反射原稿ホルダ２０ａでは、マーク２１が一つの原稿領域Ｒｈに対し位置決めされている。この反射原稿ホルダ２０ａを使用したとき、図１（Ａ）の画像データにおいて原稿領域Ｒｈに対応する画素領域（原稿対応領域）ｒｈａは、中心画素ｐｍに対する相対位置が一定の領域となる。透過原稿ホルダ２０ｂでは、マーク２１が二つの原稿領域Ｒｈに対し位置決めされている。この透過原稿ホルダ２０ｂを使用したとき、図１（Ｂ）の画像データにおいて個々の原稿領域Ｒｈに対応する画素領域（原稿対応領域）ｒｈｂは共に、中心画素ｐｍに対する相対位置が一定の領域となる。そこで図１（Ａ），（Ｂ）に示すように、中心画素ｐｍを特定した画像データについてその画素ｐｍを基準として、各ホルダ２０ａ，２０ｂについての原稿対応領域ｒｈａ，ｒｈｂが全て囲まれ得る矩形の画素領域ｒｅを特定する。このとき、中心画素ｐｍを基準とする位置及びサイズが原稿ホルダ２０の種類に依らず一定となると共に各ホルダ２０ａ，２０ｂの走査領域Ｒｓに対応する画素領域（走査対応領域）ｒｓより小サイズとなる画素領域ｒｅが特定される。ここで、画素領域ｒｅの中心画素ｐｍに対する相対位置及びサイズに関するデータはＲＯＭ１７ｂに予め記憶されており、当該データに基づいて画素領域ｒｅの特定が実施される。以上により特定される画素領域ｒｅは、各ホルダ２０ａ，２０ｂにおいて原稿領域Ｒｈを含む領域Ｒｅ（図５，６の各分図（Ａ）参照）に対応する領域と考えることができる。
【００２４】
（３）イメージスキャナ１では、一度の走査により原稿を読み取る方法、あるいは低解像度の走査（プレスキャン）の後、高解像度の走査（本スキャン）を実施して原稿を読み取る方法を採用できる。そこで、前者の方法を採用する場合には、画素領域ｒｅを特定した画像データにおいて処理領域ｒｄを設定する。一方、後者の方法を採用する場合には、上記の（１），（２）をプレスキャンにより生成した画像データについて実施した後、本スキャンにより生成した別の画像データにおいて処理領域ｒｄを設定する。いずれの方法を採用する場合にも処理領域ｒｄの設定は、特定された画素領域ｒｅと処理領域ｒｄとが同一位置且つ同一サイズとなるように実施する。これにより処理領域ｒｄは、各ホルダ２０ａ，２０ｂ別の画像データにおける原稿対応領域ｒｈａ，ｒｈｂを全て、走査対応領域ｒｓより小サイズの矩形に囲む領域であって、各ホルダ２０ａ，２０ｂ別の画像データ間で中心画素ｐｍを基準とする位置及びサイズが一定の領域となる。ここで、各ホルダ２０ａ，２０ｂ別の画像データがホルダ別データに相当する。
以上、制御部１７及びディジタル画像処理部１４が共同して特定手段を構成し、また制御部１７及びディジタル画像処理部１４が共同して補正処理手段を構成している。
【００２５】
このようなイメージスキャナ１では、走査対応領域ｒｓより小さな処理領域ｒｄに対しディジタル画像処理部１４が画質の補正処理を施すので、補正処理に要する時間を短縮できる。しかも、各ホルダ２０ａ，２０ｂの原稿領域Ｒｈを含む領域Ｒｅの対応領域ｒｅについて、原稿領域Ｒｈに対し位置決めされたマーク２１に対応する画素ｐｍを基準に特定する。そのため、走査領域Ｒｓに対し各ホルダ２０ａ，２０ｂの相対位置が変動しても、特定した領域ｒｅから原稿対応領域ｒｈａ，ｒｈｂが外れることがない。即ち、その特定した画素領域ｒｅと同一の位置及びサイズに設定される処理領域ｒｄから原稿対応領域ｒｈａ，ｒｈｂが外れることがない。したがって、原稿対応領域ｒｈａ，ｒｈｂの全体を画質補正処理の対象にして適正な補正処理を実施することができる。
【００２６】
またイメージスキャナ１では、各ホルダ２０ａ，２０ｂ別の画像データ間で所定画素ｐｍを基準とする処理領域ｒｄの位置及び処理領域ｒｄのサイズが一定となる。それに加えてイメージスキャナ１では、各ホルダ２０ａ，２０ｂ別の画像データの原稿対応領域ｒｈａ，ｒｈｂを全て囲む矩形に処理領域ｒｄが設定される。したがって、補正処理の適正化効果を損なうことなく、ＣＰＵ１７ａが実行する画質補正処理用のプログラムを簡略化して補正処理時間の短縮を促進できる。
【００２７】
以上、本発明の一実施例について詳述したが、これはあくまでも例示であって、本発明はそのような実施例の記載によって何ら限定的に解釈されるものではない。
例えば、上記実施例では原稿ホルダ２０ａ，２０ｂの角部２２ａ，２８ｂにマーク２１を設けたが、原稿ホルダ２０ａ，２０ｂにおいて、原稿領域Ｒｈの外部であってリニアイメージセンサ１２で走査可能な任意の位置にマーク２１を設けることができる。
【図面の簡単な説明】
【図１】画像データを示す模式図である。
【図２】画像読取装置を示す模式図である。
【図３】画像読取装置を示す模式図である。
【図４】画像読取装置を示すブロック図である。
【図５】反射原稿ホルダの平面図（Ａ）と（Ａ）のＢ−Ｂ断面図である。
【図６】透過原稿ホルダの平面図（Ａ）と（Ａ）のＢ−Ｂ断面図である。
【図７】画像データの各画素の画素値を示すグラフである。
【符号の説明】
１  イメージスキャナ（画像読取装置）、２  レール（支持手段）、１２  リニアイメージセンサ（走査手段）、１３  ＡＦＥ部（走査手段）、１４  ディジタル画像処理部（特定手段、補正処理手段）、１５  主走査駆動部（走査手段）、１６  副走査駆動部（走査手段）、１７  制御部（特定手段、補正処理手段）、２０（２０ａ，２０ｂ）  原稿ホルダ、２１  マーク、２２，２８  本体、２５，３１  保持部
【図１】
2005039433.tif 000003
【図２】
2005039433.tif 000004
【図３】
2005039433.tif 000005
【図４】
2005039433.tif 000006
【図５】
2005039433.tif 000007
【図６】
2005039433.tif 000008
【図７】
2005039433.tif 000009